【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  鋼板の所要個所にマーキングを施し、客先を含む後工程に渡すマーキング鋼板の製造方法において、
前記鋼板の基準位置からの距離情報を示すべくマーキングを当該鋼板の所要個所に施すとともに、前記鋼板の位置に対応した品質検査情報を前記鋼板の基準位置からの距離情報に対応付けた位置・品質対応付け情報データを作成することを特徴とするマーキング鋼板の製造方法。
【請求項２】  請求項１に記載のマーキング鋼板の製造方法において、
さらに、各客先を含む後工程の処理に必要な次工程関連情報の中から、前記位置・品質対応付け情報データから情報に基づいてある客先を含む後工程の処理に必要な次工程関連情報を選択し、前記位置・品質対応付け情報データと選択された次工程関連情とからなる次工程処理情報を作成することを特徴とするマーキング鋼板の製造方法。
【請求項３】  請求項１または請求項２に記載のマーキング鋼板の製造方法において、
前記位置・品質対応付け情報データまたは次工程処理情報データを客先を含む後工程に提供することを特徴とするマーキング鋼板の製造方法。
【請求項４】  請求項１ないし請求項３の何れか一項に記載のマーキング鋼板の製造方法において、
鋼板の所要個所に鋼板の基準位置からの距離情報を示すべくマーキングを、所定距離間隔ごとに、または、所定距離間隔ごとに、かつ、欠陥有りと判断された位置に施すことを特徴とするマーキング鋼板の製造方法。
【請求項５】  請求項１ないし請求項４の何れか一項に記載のマーキング鋼板の製造方法において、
前記所定距離間隔を、要求品質の高さに応じて設定することを特徴とするマーキング鋼板の製造方法。
【請求項６】  請求項１ないし請求項４の何れか一項に記載のマーキング鋼板の製造方法において、
さらに、鋼板を領域区分し、該領域区分の位置を特定する領域区分情報を付加し、前記距離情報と前記領域区分情報とを対応付けすることを特徴とするマーキング鋼板の製造方法。
【請求項７】  鋼板の所要個所にマーキングを施し、客先を含む後工程に渡すマーキング鋼板の製造装置において、
前記鋼板の所要個所にマーキングを施すためのマーキング装置と、
前記鋼板の基準位置からの距離に基づき、前記マーキング装置にマーキング指示を出して前記鋼板の所要個所に距離情報を示すべくマーキングを施すとともに前記距離情報を作成する位置情報作成手段と、
前記鋼板の欠陥を含む品質を検査するための品質検査用センサと、
該品質検査用センサの検査結果から鋼板の欠陥を含む品質情報を作成する鋼板検査系と、
前記位置情報作成手段で作成される距離情報と前記鋼板検査系で作成される欠陥を含む品質情報とを対応付けた位置・品質対応付け情報データを作成する位置・品質対応付け手段と
を備えたことを特徴とするマーキング鋼板の製造装置。
【請求項８】  鋼板の所要個所にマーキングを施し、客先を含む後工程に渡すマーキング鋼板の製造装置において、
前記鋼板の所要個所にマーキングを施すためのマーキング装置と、
前記鋼板の基準位置からの距離に基づき、前記マーキング装置にマーキング指示を出して前記鋼板の所要個所に距離情報を示すべくマーキングを施すとともに前記距離情報を作成する位置情報作成手段と、
前記鋼板の欠陥を含む品質を検査するための品質検査用センサと、
鋼板製造元品質基準情報に基づき分類された各客先を含む後工程の品質基準情報が記憶されている品質基準情報記憶手段と、
前記品質検査用センサの検査結果から前記鋼板の欠陥を含む品質情報を作成する鋼板検査系と、
該鋼板検査系で作成される欠陥を含む品質情報が、前記品質基準情報記憶手段に記憶された該当鋼板の仕向け先である客先を含む後工程の品質基準情報を満たすかいなかを判定する品質判定手段と、
前記位置情報作成手段で作成される距離情報と前記品質判定手段で判定された品質情報とを対応付ける位置・品質対応付け手段と
を備えたことを特徴とするマーキング鋼板の製造装置。
【請求項９】  請求項７または請求項８に記載のマーキング鋼板の製造装置において、
前記位置・品質対応付け情報データを該当鋼板の仕向け先である客先を含む後工程に提供する提供手段を設けたことを特徴とするマーキング鋼板の製造装置。
【請求項１０】  請求項９に記載のマーキング鋼板の製造装置において、
前記提供手段は、前記対応付け情報または次工程処理情報を、該当鋼板の仕向け先である客先を含む後工程に提供することを特徴とするマーキング鋼板の製造装置。
【請求項１１】  請求項７または請求項８に記載のマーキング鋼板の製造装置において、
前記品質情報が特定の客先を含む後工程の品質要求を満たさないが、別の品質要求を満たす客先を含む後工程が存在する場合、前記品質情報を別の客先を含む後工程の品質要求に応じて品質情報を編集し、客先変更を可能とする品質情報編集手段を備えたことを特徴とするマーキング鋼板の製造装置。
【手続補正２】
【補正対象書類名】明細書
【補正対象項目名】００１５
【補正方法】変更
【補正の内容】
【００１５】
【課題を解決するための手段】
（１）  上記課題を解決するために、鋼板の所要個所にマーキングを施し、客先を含む後工程に渡す本発明に係るマーキング鋼板の製造方法は、前記鋼板の基準位置からの距離情報を示すべくマーキングを当該鋼板の所要個所に施すとともに、前記鋼板の位置に対応した品質検査情報を前記鋼板の基準位置からの距離情報に対応付けた位置・品質対応付け情報データを作成する方法である。
【手続補正３】
【補正対象書類名】明細書
【補正対象項目名】００１６
【補正方法】変更
【補正の内容】
【００１６】
この発明は以上のような方法とすることにより、マーキングを施した鋼板とは別に、鋼板の距離情報と鋼板の欠陥を含む品質情報とを対応付けた位置・品質対応付け情報データを作成するので、この対応付けされた情報データを客先を含む後工程に提供可能となり、より多種類の品質情報を提供可能となる。
【手続補正４】
【補正対象書類名】明細書
【補正対象項目名】００１７
【補正方法】変更
【補正の内容】
【００１７】
なお、前記（１）の方法に新たに、各客先を含む後工程の処理に必要な次工程関連情報の中から、前記位置・品質対応付け情報データから情報に基づいてある客先を含む後工程の処理に必要な次工程関連情報を選択し、前記位置・品質対応付け情報データと選択された次工程関連情とからなる次工程処理情報を作成する手段を設けることにより、品質を含んで客先等の処理上必要な次工程関連情報を付加し、客先を含む後工程に提供できるので、客先等に多くの情報を提供することが可能である。
【手続補正５】
【補正対象書類名】明細書
【補正対象項目名】００１８
【補正方法】変更
【補正の内容】
【００１８】
さらに、本発明は、前記距離情報と欠陥を含む品質情報との対応付け情報または前記次工程処理情報をプリントアウト、フロッピーディスク、またはネットワークを経由により該当鋼板の仕向け先である客先を含む後工程に提供すれば、当該客先を含む後工程では、鋼板のマーキングだけでなく、プリントアウト、フロッピーディスク、またはネットワークを経由の対応付け情報または次工程処理情報を有効に活用し、鋼板の適切な処理を行うことが可能となる。
【手続補正６】
【補正対象書類名】明細書
【補正対象項目名】００１９
【補正方法】変更
【補正の内容】
【００１９】
（２）  本発明に係わるマーキング鋼板の製造装置は、鋼板の所要個所にマーキングを施すためのマーキング装置と、前記鋼板の基準位置からの距離に基づき、前記マーキング装置にマーキング指示を出して前記鋼板の所要個所に距離情報を示すべくマーキングを施すとともに前記距離情報を作成する位置情報作成手段と、前記鋼板の欠陥を含む品質を検査するための品質検査用センサと、該品質検査用センサの検査結果から鋼板の欠陥を含む品質情報を作成する鋼板検査系と、前記位置情報作成手段で作成される距離情報と前記鋼板検査系で作成される欠陥を含む品質情報とを対応付けた位置・品質対応付け情報データを作成する位置・品質対応付け手段とを設けた構成である。
【手続補正７】
【補正対象書類名】明細書
【補正対象項目名】００２０
【補正方法】変更
【補正の内容】
【００２０】
本発明は以上のような構成とすることにより、マーキングを施した鋼板とは別に、鋼板の距離情報と鋼板の欠陥を含む品質情報とを対応付けた対応付け情報データを作成することにより、客先を含む後工程に提供可能となり、より多種類の品質情報を提供可能となる。
【手続補正８】
【補正対象書類名】明細書
【補正対象項目名】００２１
【補正方法】変更
【補正の内容】
【００２１】
（３）  本発明に係わるマーキング鋼板の製造装置は、鋼板の所要個所にマーキングを施すためのマーキング装置と、前記鋼板の基準位置からの距離に基づき、前記マーキング装置にマーキング指示を出して前記鋼板の所要個所に距離情報を示すべくマーキングを施すとともに前記距離情報を作成する位置情報作成手段と、前記鋼板の欠陥を含む品質を検査するための品質検査用センサと、鋼板製造元品質基準情報に基づき分類された各客先を含む後工程の品質基準情報が記憶されている品質基準情報記憶手段と、前記品質検査用センサの検査結果から前記鋼板の欠陥を含む品質情報を作成する鋼板検査系と、該鋼板検査系で作成される欠陥を含む品質情報が、前記品質基準情報記憶手段に記憶された該当鋼板の仕向け先である客先を含む後工程の品質基準情報を満たすかいなかを判定する品質判定手段と、前記位置情報作成手段で作成される距離情報と前記品質判定手段で判定された品質情報とを対応付ける位置・品質対応付け手段とを設けた構成である。